(57)【要約】【課題】高い捕捉率で蚊を捕捉可能な蚊誘引機を提供する。【解決手段】実施例１の蚊誘引機は、ハウジング３と電撃グリッド５とを備えている。ハウジング３には、筒状をなして一端３ａ側から他端３ｂ側へ水平方向に延びる誘引室１１と、誘引室１１の一端３ａと他端３ｂとで互いに対面して蚊１５が出入可能な出入口１１ａ、１１ｂとが形成されている。電撃グリッド５は、誘引室１１内における両出入口１１ａ、１１ｂ間の略中間位置に設けられている。この電撃グリッド５は、太陽光発電パネル７及びバッテリ９から電力の供給を受けて、接触又は近接した蚊１５を電撃によって攻撃して駆除を行う。これらの誘引室１１、ハウジング３及び電撃グリッド５は、黒色を呈している。【選択図】図４
2012086253.tif 000002
【特許請求の範囲】
【請求項１】
筒状をなして水平方向に延びる誘引室が形成され、該誘引室の一端と他端とで互いに対面して蚊が出入可能な出入口が形成されたハウジングと、
該誘引室内における両該出入口間の略中間位置に設けられ、接触又は近接した該蚊を少なくとも捕捉する捕捉手段とを備え、
該誘引室を含む該ハウジングの内面及び該捕捉手段は暗色を呈していることを特徴とする蚊誘引機。
【請求項２】
二酸化炭素を発生させる二酸化炭素発生手段と、前記蚊が好む熱を発生させる温熱発生手段とを備えない請求項１記載の蚊誘引機。
【請求項３】
両前記出入口は、地上から０〜８０ｃｍの高さに開口している請求項１又は２記載の蚊誘引機。
【請求項４】
前記捕捉手段は、前記誘引室内で垂直に延び、接触又は近接した前記蚊を電撃によって攻撃可能な電撃グリッドである請求項１乃至３のいずれか１項記載の蚊誘引機。
【請求項５】
前記電撃グリッドは、枠状に形成された一対の導電性の枠体と、各該枠体から水平方向又は上下方向に内側に延びる複数本の導電性の導線とを有し、両該枠体が絶縁体を間に挟んで一体化され、かつ両該枠体間に電圧が印加されるものであり、
該各導線同士の上下方向又は左右方向の間隔は、前記蚊が該各導線間を通り抜け可能な最小限の大きさとされている請求項４記載の蚊誘引機。
【請求項６】
前記各導線間には、給電装置により１０００Ｖ〜６０００Ｖの電圧が印加される請求項４又は５記載の蚊誘引機。
【請求項７】
前記給電装置は、太陽光発電パネルと、該太陽光発電パネルで生じた起電力を蓄電可能なバッテリとを有している請求項４乃至６のいずれか１項記載の蚊誘引機。
【請求項８】
前記捕捉手段は、接触又は近接した前記蚊を空気の吸引によって捕捉可能な捕集器である請求項１乃至３のいずれか１項記載の蚊誘引機。
【請求項９】
前記捕捉手段は、接触した前記蚊を粘着させる粘着層を有する捕集器である請求項１乃至３のいずれか１項記載の蚊誘引機。
【請求項１０】
前記ハウジングの内面は電撃プレートからなり、
該電撃プレートは、絶縁性の基板と、該基板の表面に形成され、接触又は近接した前記蚊を電撃によって攻撃可能な副電撃グリッドとを有する請求項１乃至９のいずれか１項記載の蚊誘引機。
【発明の詳細な説明】
【技術分野】
【０００１】
本発明は蚊誘引機に関する。
【背景技術】
【０００２】
蚊は、動物の血液を求めて飛来し、人間に対して吸血を行うことから、不快昆虫の一種とされている。また、この蚊の吸血行為により、家畜等の動物と人間との間又は人間同士の間で、伝染病を発病させる病原体が運搬され、例えば、デング熱、マラリア、西ナイル熱等の伝染病が広範囲に拡大する問題もある。これらのため、従来から、例えば、蚊取り線香等の器具により蚊の駆除が行われるだけでなく、蚊の生態に関する研究に基づき、蚊の捕捉を専門とした蚊誘引機が多々開発されてきた。【０００３】
このような状況の下、蚊を攻撃して駆除することを主眼として、特許文献１の図１等に示す蚊誘引機が提案されている。この蚊誘引機は、ハウジングと電撃グリッドとを備えている。ハウジングには、誘引室と、その誘引室に蚊が進入可能な入口とが形成されている。電撃グリッドは、誘引室内に設けられ、接触又は近接した蚊を電撃によって攻撃可能である。また、この蚊誘引機は二酸化炭素のボンベと接続され、ハウジングには二酸化炭素を放出するための放出口が形成されている。さらに、電撃グリッドの近傍には電気ヒータが設けられている。【０００４】
発明者らによる研究によれば、蚊は人体等から発せられる二酸化炭素に引き寄せられることが判明している。このため、この蚊誘引機では、電気ヒータによって加温された二酸化炭素を誘引室の周囲に放出することで、蚊を誘引室内に誘い込むことが可能になっている。そして、電撃グリッドにより、誘引室内に誘い込まれた蚊を攻撃することができる。こうして、この蚊誘引機によれば、効率よく蚊の駆除を行うことが可能である。
【先行技術文献】
【特許文献】
【０００５】
【特許文献１】特許第３５２０９６３号公報
【発明の概要】
【発明が解決しようとする課題】
【０００６】
しかし、より高い捕捉率で蚊を捕捉可能な蚊誘引機が求められている。【０００７】
本発明は、上記従来の実情に鑑みてなされたものであって、より高い捕捉率で蚊を捕捉可能な蚊誘引機を提供することを解決すべき課題としている。
【課題を解決するための手段】
【０００８】
本発明の蚊誘引機は、筒状をなして水平方向に延びる誘引室が形成され、該誘引室の一端と他端とに互いに対面して蚊が出入可能な出入口が形成されたハウジングと、
該誘引室内における両該出入口間の略中間位置に設けられ、接触又は近接した該蚊を少なくとも捕捉する捕捉手段とを備え、
該誘引室を含む該ハウジングの内面及び該捕捉手段は暗色を呈していることを特徴とする（請求項１）。【０００９】
発明者らは、誘引室内に蚊を誘い込んで捕捉可能な蚊誘引機を開発するにあたり、蚊の生態について、更なる鋭意研究を行った。その結果、以下の知見を得て本発明を行うに至った。【００１０】
まず、蚊は不規則な方向で飛来するのではなく、興奮状態にない時には、水平方向に飛行する傾向が強いことが判明した。このため、本発明の蚊誘引機では、筒状をなして水平方向に延びる誘引室を形成している。また、蚊は先の見通せない方向には飛行しない傾向が強いことも判明した。このため、本発明の蚊誘引機では、一方の出入口から他方の出入口が見通せるよう、誘引室の一端と他端とに互いに対面する出入口を形成している。各出入口は蚊が出入可能な大きさである。これにより、蚊は誘引室内を出入りし易くなっている。【００１１】
また、捕捉手段は、両出入口間の略中間位置に設けられている。このため、例えば、誘引室の一端側に近い位置に捕捉手段を設けることで捕捉手段が一種の障壁となり、一端側から誘引室内に蚊が進入し難くなるという問題も生じ難くなっている。【００１２】
さらに、蚊は、自然界においても物陰等の暗部に集まる習性があることから、暗色を好む傾向がある。このため、この蚊誘引機では、誘引室を含むハウジングの内面や捕捉手段が暗色を呈している。これにより、本発明の蚊誘引機は、蚊を本能的に自然な状態で誘引室内に誘い込むことができる。この際、誘引室だけでなく、捕捉手段も暗色を呈していることから、蚊が捕捉手段を忌避することなく、蚊がその周囲に集まり易い。捕捉手段に接触又は近接した蚊は捕捉手段によって少なくとも捕捉される。このため、この蚊誘引機では、捕捉手段によって蚊を捕捉し易くなっている。【００１３】
したがって、本発明の蚊誘引機によれば、好適に蚊を捕捉することが可能となる。【００１４】
本発明の蚊誘引機において、誘引室は、上方から見て、一つの筒によって形成されるＩ型であってもよく、二つの筒が交差して形成される十型等であってもよい。【００１５】
さらに、本発明の蚊誘引機は、二酸化炭素を詰めたボンベや化学反応によって二酸化炭素を発生させる反応装置等、種々の二酸化炭素発生手段を備えても良い。また、本発明の蚊誘引機は、蚊が好む３５〜５５°Ｃの熱を発生させる電熱ヒータ、懐炉等、種々の温熱発生手段を備えても良い。この場合、より多くの蚊を誘引室内に誘い込むことができる。【００１６】
一方、本発明の蚊誘引機は、上記のような二酸化炭素を発生させる二酸化炭素発生手段と、蚊が好む熱を発生させる温熱発生手段とを備えなくとも良い（請求項２）。本発明の蚊誘引機によれば、別途これらの二酸化炭素発生手段及び温熱発生手段を備えることなく、好適に蚊を捕捉することが可能である。また、これらの二酸化炭素発生手段及び温熱発生手段を備えないことにより、本発明の蚊誘引機の設置が容易となり、また、蚊誘引機の製造コストを低減することが可能となる。【００１７】
発明者らの実験結果によれば、両出入口は地上から０〜２００ｃｍの高さに開口していることが好ましい。特に、両出入口は、地上から０〜８０ｃｍの高さに開口していることが好ましい（請求項３）。発明者等の実験により、蚊は通常、地上から８０ｃｍ程度までの高さで飛行していることが多く、両出入口を地上から０〜８０ｃｍの高さに開口させることで、蚊を自然な状態で好適に誘引室内に誘い込むことが可能となる。【００１８】
また、ハウジングの内面及び捕捉手段の他、ハウジングの外面を含む全体が暗色であることがより好ましい。ハウジングの全体が暗色の蚊誘引機であれば、浮遊している蚊が蚊誘引機に近づき易く、出入口から誘引室内に誘い込まれ易いからである。【００１９】
ハウジングは、例えば金属板や木材等、種々の材料からなり得る。特に、加工の容易性や重量等の観点から、樹脂で形成されたダンボールを採用することが好ましい。また、ハウジングは、後述するように、電撃プレートからなり得る。【００２０】
また、誘引室や捕捉手段等を暗色にする方法としては、それぞれ誘引室等を形成した後、塗装やメッキ加工等を施す方法を採用できる他、予め暗色を呈する材料で誘引室等を形成することも採用できる。また、これらを組み合わせることもできる。暗色とは、黒色、濃青色、濃茶色、暗灰色等、明度を低下させた色である。【００２１】
発明者等の実験結果によれば、出入口から捕捉手段までの距離は１０〜１５０ｃｍであることが好ましい。発明者らの確認によれば、出入口から捕捉手段までの距離が１０ｃｍより短かったり、１５０ｃｍを超えて長かったりすると、蚊が誘引室内に誘い込まれ難い。また、出入口から捕捉手段までの距離が長ければ、蚊誘引機が大型化し、製造コストが増大する問題がある。【００２２】
また、出入口は断面積が３００〜３００００ｃｍ2であることが好ましい。発明者等は、出入口の断面積を３００ｃｍ2以下とした場合、蚊がほとんど誘引室内に誘い込まれないという検証結果を得ている。さらに、上記の出入口から捕捉手段までの距離と同様、出入口の断面積が大きすぎると、蚊誘引機が大型化する問題がある。発明者等の研究によれば、出入口の断面積を上記の範囲内とすることにより、低コストで蚊を好適に誘引室内に誘い込むことができる。【００２３】
捕捉手段としては、種々のものを採用することができる。例えば、蚊の駆除目的で本発明の蚊誘引機を使用する場合には、蚊を死滅させて捕捉可能な捕捉手段を採用することが好ましい。一方、上記のような蚊を媒体とした伝染病の研究を行うに当たり、検体としての蚊を捕捉する装置として本発明の蚊誘引機を使用する場合には、蚊を生体又は仮死状態で捕捉可能な捕捉手段を採用することが好ましい。【００２４】
例えば、捕捉手段は、誘引室内で垂直に延び、接触又は近接した蚊を電撃によって攻撃可能な電撃グリッドであり得る（請求項４）。この場合、水平方向に飛行する蚊は電撃グリッドによって捕捉される。電撃の強弱により、蚊を気絶又は仮死状態で捕捉可能となる他、蚊を死滅させて捕捉することも可能となる。【００２５】
また、電撃グリッドに電圧を印加すれば、電撃グリッドの周辺にはクーロン力（静電気力）が作用する。電撃グリッド近くの空気中を飛翔する蚊は、静電誘導又は誘電分極によって正極又は負極に僅かながらでも帯電すると考えられ、電撃グリッドのクーロン力によって電撃グリッドに引き寄せられ易く、電撃を受けやすい。【００２６】
電撃グリッドに蚊が接触又は近接して電撃する際、電撃グリッドには放電が生じる。本発明の蚊誘引機はこの放電の数をカウントする計数機を備えることも可能である。また、電撃グリッドを採用した場合には、攻撃を受けて死滅した蚊を容易に回収すべく、誘引室の底部等、電撃グリッドの近傍に回収皿等を設けることが好ましい。【００２７】
また、電撃グリッドは、枠状に形成された一対の導電性の枠体と、各枠体から水平方向又は上下方向に内側に延びる複数本の導電性の導線とを有し、両枠体が絶縁体を間に挟んで一体化され、かつ両枠体間に電圧が印加されるものであり得る。そして、各導線同士の上下方向又は左右方向の間隔は、蚊が各導線間を通り抜け可能な最小限の大きさとされていることが好ましい（請求項５）。【００２８】
蚊が各導線間を通り抜け不可能な電撃グリッドを採用した場合、その電撃グリッドが誘引室内で一種の障壁となって、蚊が誘引室内を一端側から他端側、又は他端側から一端側へ飛来できなくなる。このため、このような電撃グリッドでは、蚊が近接又は接触し難い。一方、各導線間の間隔が大きすぎる電撃グリッドを採用した場合、電撃グリッドに近接又は接触することなく、蚊が誘引室内を一端側から他端側、又は他端側から一端側へ飛来する。このため、電撃グリッドによって蚊を攻撃し難い。これらに対し、この電撃グリッドでは、各導線同士における上下方向又は左右方向の間隔について、蚊が各導線間を通り抜け可能な最小限の大きさであるため、誘引室内を一端側から他端側、又は他端側から一端側へ飛来する蚊を好適に攻撃可能となる。このため、この蚊誘引機では、より好適に蚊を捕捉することが可能となる。蚊が通り抜け可能な最小限の大きさとして、上記の導線の間隔を５〜１０ｍｍ程度とすることが好ましい。この場合、蚊は先の見通しが可能であり、電撃グリッドに警戒感を持たない。【００２９】
例えば、両枠体に対し、水平方向で内側に延びる複数本の導線が設けられた電撃グリッドでは、各導線同士は、上下方向で、蚊が各導線間を通り抜け可能な最小限の大きさとなる。また、両枠体に対し、垂直方向で内側に延びる複数本の導線が設けられた電撃グリッドでは、各導線同士は、左右方向で、蚊が各導線間を通り抜け可能な最小限の大きさとなる。さらに、例えば、一方の枠体に対して水平方向で内側に延びる複数本の導線が設けられ、他方の枠体に対して上下方向で内側に延びる複数本の導線が設けられた電撃グリッドでは、各導線同士は、蚊が格子状の各導線間を通り抜け可能な最小限の大きさとなる。【００３０】
各導線間には、給電装置により１０００Ｖ〜６０００Ｖの電圧が印加されることが好ましい（請求項６）。この場合、電撃によって攻撃を受けた蚊は、高電圧により焼殺されて炭化し易い。このように炭化した蚊の死骸は、自然風により大気中に拡散される他、誘引室内の底部に堆積することとなる。このため、電撃グリッドに蚊の残骸が残存し難くなり、別途にメンテナンス等を特に必要とせずに、電撃グリッドを清潔に保つことが可能となる。このため、この蚊誘引機では、長期間に亘り、低コストで蚊を好適に捕捉することが可能となる。また、この場合、各導線におけるクーロン力が大きくなることで、電撃グリッドに近接した蚊をより各導線に引き寄せ易くなり、好適に蚊を攻撃し易くなる。【００３１】
給電装置としては、バッテリや商用電源を採用することが可能である。商用電源としては、火力、水力、原子力等の既存の設備で発電した電力を採用できる他、地熱、風力等の次世代エネルギーを利用した設備で発電した電力を採用し得る。特に、給電装置は、太陽光発電パネルと、太陽光発電パネルで生じた起電力を蓄電可能なバッテリとを有していることが好ましい（請求項７）。この場合、電撃グリッドに必要な電力について、別途の費用を必要とすることなく調達することが可能となる。また、バッテリが太陽光発電パネルで生じた起電力を蓄電可能となっていることから、例えば、昼間の屋外で本発明の蚊誘引機を使用し、夜間の屋外や屋内では、バッテリに蓄えられた電力を利用して本発明の蚊誘引機を使用するという方法も可能となる。【００３２】
また、捕捉手段は、接触又は近接した蚊を空気の吸引によって捕捉可能な捕集器であり得る（請求項８）。既に、風圧、すなわち空気圧による押し込みによって蚊を捕捉する捕集器を備えた蚊誘引機が存在する。しかし、発明者等による検証によれば、このような捕集器を備えた蚊誘引機では蚊を好適に捕捉することができないことが判明した。一方で、発明者等の検証により、空気の吸引によって接触又は近接した蚊を捕捉する捕集器を備えた蚊誘引機であれば、蚊を好適に捕捉することが判明した。そして、本発明の捕集器によれば、蚊を生体のままで好適に捕捉することが可能となる。このため、捕捉した蚊がウイルスを有しているか否かの検査を従来よりも容易に行うことができる。【００３３】
さらに、捕捉手段は、接触した蚊を粘着させる粘着層を有する捕集器であり得る（請求項９）。この場合、蚊を簡易に捕捉することが可能である。また、捕集器に粘着した後一定期間放置することで、蚊を死滅させて捕捉することも可能となる。【００３４】
本発明の蚊誘引機は、ハウジングの内面が電撃プレートからなり得る。電撃プレートは、絶縁性の基板と、この基板の表面に形成され、接触又は近接した蚊を電撃によって攻撃可能な副電撃グリッドとを有する（請求項１０）。【００３５】
ハウジングの内面が電撃プレートからなれば、誘引室の壁面に副電撃グリッドが設けられることとなる。このため、電撃プレートの副電撃グリッドによっても蚊を攻撃することが可能となる。また、この副電撃グリッドでも、上記の電撃グリッドと同様、クーロン力によって蚊を引き寄せることができる。このため、捕捉手段として電撃グリッドを採用しつつ、ハウジングに電撃プレートを用いれば、より好適に蚊を攻撃することが可能となる。【００３６】
ハウジングの内面が電撃プレートからなれば良く、他の材料のハウジングの内面に電撃プレートを貼り付けても良く、電撃プレート自体をハウジングとして誘引室を構成してもよい。基板は、絶縁性であれば、樹脂で形成されたダンボール等、種々のものが採用され得る。特に、樹脂製のフィルムを基板とすることが好ましい。副電撃グリッドのクーロン力によって蚊を引き寄せることができる他、静電気によって基板が帯電し易く、基板のクーロン力によっても蚊を引き寄せ、副電撃グリッドによって攻撃をすることが可能だからである。また、樹脂製の基板は加工が容易であり、製造コストの低廉化の長所もある。この樹脂としては、例えば、ポリ塩化ビニル、ポリエチレンの他、ポリエチレンテレフタラート等を採用することができる。また、発明者等の確認によれば、基板の表面には光沢がある方が光沢がない場合よりも多くの蚊を引き寄せることができた。【００３７】
また、基板の表面に副電撃グリッドを形成する手段としては、例えば、黒鉛や各種の金属粉等を含有する導電材料を所定のパターンで基板の表面に印刷する手段を採用することが好ましい。また、他の手段としては、所定の形状に形成された導線を基板の表面に貼着したり、金属層を基板の表面に貼着した後、所定のパターンにエッチング加工する手段もあり得る。【００３８】
副電撃グリッドは、基板上で直線状に形成された第１基部及び第２基部と、第１基部から第１基部に対して交差するとともに、互いに平行に形成された複数本の第１導線部と、第２基部から第２基部に対して交差するとともに、各第１導線部と平行に形成されつつ各第１導線部と互い違いをなす複数本の第２導線部とを有し、第１基部と第２基部との間に電圧が印加されるものであり得る。
【発明の効果】
【００３９】
本発明の蚊誘引機によれば、好適に蚊を捕捉することが可能となる。
【図面の簡単な説明】
【００４０】
【図１】実験例１に係り、ハウジングの色と捕捉数との関係を示すグラフである。
【図２】実験例４に係り、出入口の高さと捕捉数との関係を示すグラフである。
【図３】実験例５に係り、電撃グリッドの位置と捕捉数との関係を四日間にわたって示すグラフである。
【図４】実施例１の蚊誘引機を示す斜視図である。
【図５】実施例１の蚊誘引機の模式断面図である。
【図６】実施例１の蚊誘引機に係り、電撃グリッドの正面図及び断面図である。（Ａ）は電撃グリッドの正面図であり、（Ｂ）は電撃グリッドにおけるＢ−Ｂ’方向の断面図である。
【図７】実験例６に係り、実験日毎の捕捉数を示すグラフである。
【図８】実施例２の蚊誘引機の模式断面図である。
【図９】実施例２の蚊誘引機に係り、電動ファンを示す上面図である。
【図１０】実施例３の蚊誘引機の模式断面図である。
【図１１】実施例３の蚊誘引機に係り、粘着層を示す部分拡大断面図である。
【図１２】実施例４の蚊誘引機の模式断面図である。
【発明を実施するための形態】
【００４１】
以下、実験例１〜６と、本発明を具体化した実施例１〜４とについて、図面を参照しつつ説明する。
【００４２】
実施例１〜４の蚊誘引機を開発するに当たり、発明者等は蚊の活動習性に関する以下の検証実験を行った。
【００４３】
〈実験例１〉
まず、蚊が好む色についての実験を行った。実験では、ハウジングの材料として、表面色が異なる複数枚のプラスチック製段ボール材（以下、プラダンという。）を用意した。各プラダンは東洋ユニコン（株）製のものである（以下、同様。）。各プラダンは、表面色が黄色、緑色、オレンジ色、黒色、ベージュ色、青色又は白色のポリプロピレン製である。各プラダンは大きさが２１ｃｍ×２９ｃｍである。なお、発明者らの実験結果によれば、ポリ塩化ビニル、ポリエチレン等からなるプラダンを採用することも可能である。
【００４４】
各プラダンに市販の害虫捕捉用の粘着剤をスプレー（丸善薬品産業（株）製「金竜スプレー」）により塗布した。
【００４５】
そして、これらのプラダンを蚊が集まり易い竹藪の近辺に２４時間設置した。実験結果を図１に示す。
【００４６】
図１に示すように、表面色が黒色であるプラダンに最も多くの蚊が捕捉され、次いで表面色が青であるプラダン、表面色がオレンジであるプラダンに多くの蚊が捕捉された。一方、表面色がベージュであるプラダン、表面色が白であるプラダンにはほとんど蚊が捕捉されていない。これらの結果から、蚊は、黒色や青色のような暗色を好み、暗色が高い誘引力を発揮することが判明した。逆に、ベージュ色や白色のような明色は、蚊が忌避する傾向が強く、色による誘引力が低いことが判明した。
【００４７】
〈実験例２〉
引き続き、ハウジングの材料の違いによる蚊の捕捉数の変化を確認した。この実験では、材料が異なる複数枚の試料を用意した。各試料は、表面色が黒色である２種のプラダン、硬質塩ビ板、網状の発泡性アクリル板、ポリプロピレン板、発泡性のゴム板、硬質ゴム板、鉄板、段ボール紙又はベニヤ板からなる。２種のプラダンは、当初より表面色が黒色であるポリプロピレン製プラダンと、当初は表面色が青であるポリプロピレン製プラダンであり、ニッペホームプロダクツ（株）製「水性ワイド」の黒色塗料で表面を黒色に着色したプラダンとからなる。各試料は３０ｃｍ四方に形成されている。各試料に上記粘着剤をスプレーにより塗布し、同じく竹藪の近辺に２４時間設置した。
【００４８】
この実験では、比較的プラダンに蚊が集まり易い傾向はあったものの、いずれの試料にもまんべんなく集まる結果となった。このため、これらの試料の間では、材料の相違による蚊の誘引力の違いは小さいことが判明した。また、地色か着色かによる効果の違いも見られなかった。
【００４９】
なお、本実験では、網状のアクリル板が発泡性であったため、粘着剤が定着し難く、また、発泡性のゴム板も粘着剤が内部に浸透してしまうことから、これらの材料では粘着力が低下してしまう現象が生じた。
【００５０】
〈実験例３〉
次に、捕捉手段についても色の相違が捕捉数に影響するか否かの実験を行った。この実験では、銀メッキが施された電撃グリッドと、三価亜鉛メッキ黒色クロメート（以下、黒メッキという。）を施した電撃グリッドとを試料として用意した。銀メッキが施された電撃グリッドは従来から害虫駆除に広く使用されている。各電撃グリッドについて、実験日毎に稼働時間を変更させつつ、一週間稼働させた。
【００５１】
この実験において、銀メッキが施された電撃グリッドでは、３５．５時間の稼働中に９７匹の蚊を捕捉する結果となった。つまり、一時間当たり約２．７匹の蚊を捕捉したこととなる。一方、黒メッキが施された電撃グリッドでは、４３．０時間の稼働中に２６５匹の蚊を捕捉する結果であったことから、一時間当たり約６．１匹の蚊を捕捉したこととなる。
【００５２】
この実験では、黒メッキが施された電撃グリッドでは、銀メッキが施された電撃グリッドよりも約２倍の捕捉数を示したことから、捕捉手段についても色の相違が捕捉数に影響する、すなわち、捕捉手段も暗色を呈している方が効果が高いことが判明した。
【００５３】
〈実験例４〉
蚊は通常、主にどのあたりの高さを飛行しているかについての実験を行った。この実験では、試料としては、５４ｃｍ×２００ｃｍの大きさで表面色が黒色であるプラダンを用意した。このプラダンの一面に上記粘着剤をスプレーにより満遍なく塗布し、実験例１等と同じく、竹藪の近辺に２４時間設置した。実験結果を図２に示す。
【００５４】
図２に示すように、この実験では、２４時間で７４匹の蚊が捕捉される結果となった。これらの蚊が捕捉された高さの分布を検証すると、全体の約８割を占める５４匹の蚊が８０ｃｍ以下の高さにおいて捕捉されているのに対し、１００ｃｍを超えると、次第に捕捉数が減少し、２００ｃｍ近辺では蚊がほとんど捕捉されないことが判明した。このことより、蚊は通常、主に８０ｃｍ以下の高さで飛行しており、蚊が誘引室内に出入りするための出入口を地上から０〜８０ｃｍの高さに設ければ、十分な効果を得られることが判明した。
【００５５】
〈実験例５〉
捕捉手段の設置位置の相違が捕捉数に影響するか否かについての実験を行った。この実験では、内部を蚊が通り抜け可能なように、表面色が黒色であるプラダンを箱組みし、その内部に上記の黒メッキが施された電撃グリッドを配置したものを実験機１として用意した。また、表面色が黒色であるプラダンの上に、上記の黒メッキが施された電撃グリッドを配置したものを実験機２として用意した。これらを上記の竹藪の近辺に４日間設置した。実験結果を図３に示す。
【００５６】
図３に示すように、実験日によって１時間当たりの蚊の捕捉数にばらつきはあるものの、総じて実験機１の方が実験機２よりも２倍以上の蚊を捕捉している結果となった。この実験では、実験機２の電撃グリッドには蚊があまり着地しなかったのに対し、実験機１の箱組みされたプラダンの内部には蚊が積極的に侵入することが観察された。このことから、単に蚊は暗部を好むというだけでなく、例えば一方にしか入口が存在しなかったり、形状が複雑であったりする等の理由により、入口から先が見通せない方向へは飛行しない傾向が強いことも判明した。
【００５７】
つまり、実験機１と実験機２とにおける蚊の捕捉数の相違は、単に電撃グリッドが外部に露出しているか否かという点にのみ起因するのではなく、実験機１では、箱組みされたプラダンの内部を蚊が通り抜けようとした際、電撃グリッドに捕捉された結果、実験機２に比べて蚊が多く捕捉されたものと結論できる。このような実験結果から、蚊が通り抜け可能な筒状体の内部に捕捉手段を設置することで、効果的に蚊を捕捉することができることが判明した。
【００５８】
これらの実験結果から得られた知見等を基に以下の実施例１〜４の蚊誘引機を開発した。
【００５９】
（実施例１）
図４に示すように、実施例１の蚊誘引機は、ハウジング３と捕捉手段としての電撃グリッド５と、太陽光発電パネル７と、図５に示すバッテリ９とを備えている。
【００６０】
図４及び図５に示すように、ハウジング３は、表面色が黒色であるプラダン３０が箱組みされることで構成されている。ハウジング３は、一端３ａ側から他端３ｂ側への奥行きＤが８０ｃｍ、高さＨが８０ｃｍ、幅Ｗが３０ｃｍの筒型の矩形体を呈している。ハウジング３の内部には、誘引室１１と電源室１３とが形成されている。また、図５に示すように、ハウジング３には、誘引室１１の一端３ａ側と他端３ｂ側とに互いに対面し、蚊１５が双方向から出入可能な出入口１１ａ、１１ｂが形成されている。上記のようなハウジング３の高さＨと幅Ｗとの関係から、これらの出入口１１ａ、１１ｂの断面積は、２４００ｃｍ2となっている。なお、ハウジング３は、金属製のフレーム材とプラダン３０とを組み合わせて形成することもできる。また、ハウジング３の形状は円筒状等であっても良い。
【００６１】
誘引室１１は、一端３ａ側から他端３ｂ側へ水平に延びる一つの筒状に形成されており、上方から見て、Ｉ字型の形状を呈している。つまり、この誘引室１１では、一方の出入口１１ａから他方の出入口１１ｂが見通せる形状となっている。また、誘引室１１の内壁１１ｃには、上記のプラダン３０に形成された縞模様が一端３ａ側から他端３ｂ側方向へ延びている。誘引室１１の底部には、黒色塗料で黒色に着色された回収皿１７ａ、１７ｂが電撃グリッド５を挟持するように配置されている。上記のように、表面色が黒色であるプラダン３０及び黒色に着色された回収皿１７ａ、１７ｂにより、誘引室１１は黒色を呈している。なお、内壁１１ｃに形成される上記の縞模様は、図１１で誇張的に示すように、プラダン３０における中板３０ａを押出形成によって得る際にプラダン３０の表面に形成されたものである。発明者等の知見によれば、蚊はこのような縞模様も好む。また、誘引室１１の底部に一体型の回収皿を設けても良い。
【００６２】
電撃グリッド５は、誘引室１１内における両出入口１１ａ、１１ｂ間の中間位置、すなわち、出入口１１ａ又は出入口１１ｂから４０ｃｍの位置に設けられている。また、電撃グリッド５は、リード１９ａ、１９ｂを介して後述の制御装置１９と電気的に接続されている。
【００６３】
図６の（Ａ）及び（Ｂ）に示すように、この電撃グリッド５は、誘引室１１内を垂直に延びる一対の導電性の枠体５１ａ、５１ｂと、各枠体５１ａ、５１ｂから水平方向に内側に延びる複数本の導電性の導線５２ａ、５２ｂとを有している。
【００６４】
より具体的には、図６の（Ｂ）に示すように、枠体５１ａと枠体５１ｂとの間には、絶縁体５３が挟持されている。枠体５１ａにはリード１９ａの一端側が接続されており、このリード１９ａ他端側は、後述の制御装置１９における正極側と接続されている。また、枠体５２ａにはリード１９ｂの一端側が接続されており、このリード１９ｂ他端側は、制御装置１９における負極側と接続されている。
【００６５】
導線５２ａは枠体５１ａに設けられており、導線５２ｂは枠体５１ｂに設けられている。この電撃グリッド５では、各枠体５１ａ、５１ｂに水平平行に配置される各導線線５２ａ、５２ｂ同士の間隔αが５ｍｍに設定されている。
【００６６】
これらの各枠体５１ａ、５１ｂと各導線５２ａ、５２ｂとは、黒メッキが施されており、電撃グリッド５は、全体として黒色を呈するようになっている。また、なお、各導線５２ａ、５２ｂは格子状に配置されていても良い。
【００６７】
図５に示すように、電源室１３はハウジング３内において、誘引室１１の下方に形成されている。この電源室１３内には、上記の制御装置１９と、公知のバッテリ９とが配置されている。制御装置１９とバッテリ９とはリード１９ｃ、１９ｄを介して電気的に接続されている。この制御装置１９は公知の昇圧回路として機能し、バッテリ９から電力の供給を受けることで、電圧を１０００〜６０００Ｖまで昇圧した状態で電撃グリッド５へ直流電流を印加することが可能となっている。これにより、各枠体５１ａ、５１ｂを介して、各導線５２ａ、５２ｂにそれぞれ電圧が印加されるようになっている。なお、電源室１３は、誘引室１１の上方に形成されても良い。
【００６８】
バッテリ９は、図４に示すように、ハウジング３の側壁３ｃに設けられた電源コネクタ２１及びケーブル２２を介して太陽光発電パネル７と電気的に接続しており、太陽光発電パネル７で生じた起電力を蓄電可能になっている。これらの太陽光発電パネル７とバッテリ９とが給電装置に相当している。この太陽光発電パネル７はハウジング３の上面３ｄに設置可能な他、任意の場所に設置可能となっている。なお、太陽光発電パネル７は公用品が採用されている。また、太陽光発電パネル７に替えて、商用電源を採用し、バッテリ９は、商用電源から得られた起電力を蓄電可能に構成しても良い。
【００６９】
以上のように構成されたこの蚊誘引機では、一方の出入口１１ａから他方の出入口１１ｂが見通せるよう、誘引室１１の一端３ａと他端３ｂとで互いに出入口１１ａ、１１ｂが対面するように形成されている（図５参照）。各出入口１１ａ、１１ｂは蚊１５が出入可能な大きさである。また、ハウジング３の高さが８０ｃｍであることから、これらの出入口１１ａ、１１ｂは地上から８０ｃｍまでの高さで開口している。これらにより、この蚊誘引機では蚊１５が誘引室１１内を出入りし易くなっている。
【００７０】
また、電撃グリッド５は、両出入口１１ａ、１１ｂ間の中間位置に設けられている。このため、例えば、誘引室１１の一端３ａ側に近い位置に電撃グリッド５を設けることで、この電撃グリッド５が一種の障壁となり、一端３ａ側から誘引室１１内に蚊１５が進入し難くなるという問題も生じ難くなっている。
【００７１】
さらに、誘引室１１、ハウジング３及び電撃グリッド５が黒色を呈している。これにより、この蚊誘引機では、蚊１５を本能的に自然な状態で誘引室１１内に誘い込むことができる。この際、誘引室１１だけでなく、電撃グリッド５も黒色を呈していることから、蚊１５が電撃グリッド５を忌避することなく、蚊１５がその周囲に集まり易い。電撃グリッド５に接触又は近接した蚊１５は電撃グリッド５の電撃による攻撃を受ける。このため、この蚊誘引機では、電撃グリッド５によって蚊１５を捕捉、すなわち駆除し易くなっている。
【００７２】
この蚊誘引機による蚊の駆除について、より具体的に説明する。上記のように、蚊１５は、自然界においても物陰等の暗部に集まる習性がある。また、発明者等の推察によれば、蚊１５は縞模様を認識して好む習性があると考える。これらにより、蚊１５は黒色を呈する誘引室１１や内壁１１ｃの縞模様に本能的に魅かれ、出入口１１ａ又は出入口１１ｂから誘引室１１内に侵入する。蚊１５は、興奮状態にない時には、水平方向に飛行する傾向が強いことから、出入口１１ａ側から侵入した蚊１５は出入口１１ｂ側に向かって、誘引室１１内を一端３ａ側から他端３ｂ側へ水平に飛行する。同様に、出入口１１ｂ側から侵入した蚊１５は出入口１１ａ側に向かって、誘引室１１内を他端３ｂ側から一端３ａ側へ水平に飛行する。
【００７３】
このように誘引室１１内を飛行する蚊１５は、誘引室１１内の中間位置で電撃グリッド５に至ることとなる。上記のように、この電撃グリッド５では、各導線５２ａ、５２ｂの間隔αが５ｍｍとなっている。この５ｍｍの間隔は、蚊１５が各導線５２ａ、５２ｂ間を通り抜け可能な最小限の大きさである。これにより、蚊１５は進行方向の先の見通しが可能であり、電撃グリッド５に警戒感を持つことなく近接する。
【００７４】
こうして、電撃グリッド５の各導線５２ａ、５２ｂに接触又は近接した蚊１５は、電撃による攻撃を受けることとなる。この際、各導線５２ａ、５２ｂには１０００〜６０００Ｖの電圧が印加されていることから、各導線５２ａ、５２ｂには比較的大きなクーロン力が働くことなる。これにより、正極又は負極に帯電した蚊１５が電撃グリッド５に近接した際、蚊１５は各導線５２ａ、５２ｂに引き寄せられ易くなる。これらのため、電撃により蚊１５を攻撃し易くなるとともに、電撃によって攻撃を受けた蚊１５は、高電圧により焼殺されて炭化し易くなる。こうして、この蚊誘引機では好適に蚊１５の駆除が行われる。
【００７５】
上記のように炭化した蚊１５の死骸は、自然風により大気中に拡散される他、誘引室１１内の底部に設置された回収皿１７ａ、１７ｂに堆積することとなる。このため、この蚊誘引機では電撃グリッド５に蚊１５の残骸が残存し難くなり、別途にメンテナンス等を特に必要とせずに、電撃グリッド５を清潔に保つことが可能となっている。このため、この蚊誘引機では、長期間に亘り、蚊１５を好適に捕捉することが可能となっている。
【００７６】
〈実験例６〉
この蚊誘引機による蚊１５の駆除能力について実地による検証実験を行った。この実験では、この蚊誘引機を上記の竹藪の近辺に４日間設置して、蚊の捕捉数の検証を行った。実験結果を表１及び図７に示す。なお、この実験では、実験日毎に蚊誘引機の稼働時間を変更して行っている。
【００７７】
【表１】
2012086253.tif 000003
【００７８】
表１及び図７のグラフに示されるように、天候や気温等の理由により実験日毎に蚊１５の捕捉数にばらつきがあるものの、実験２日目では、２４時間の稼働時間で３３６匹の蚊１５を駆除、すなわち、１時間当たり１４匹の蚊１５を駆除することに成功している。このように、この蚊誘引機による蚊１５の駆除能力が高いことが実証された。
【００７９】
したがって、この蚊誘引機によれば、より高い駆除率で蚊１５を駆除可能である。
【００８０】
特に、この蚊誘引機では、二酸化炭素を発生させる二酸化炭素発生手段としての二酸化炭素を詰めたボンベや化学反応によって二酸化炭素を発生させる反応装置の他、蚊が好む熱を発生させる温熱発生手段としての電熱ヒータや懐炉等を備えていない。上記の実験例６に示すように、この蚊誘引機によれば、別途これらの二酸化炭素発生手段及び温熱発生手段を備えることなく、好適に蚊１５を捕捉することが可能となっている。このため、これらの二酸化炭素発生手段及び温熱発生手段を備えないことにより、この蚊誘引機では、設置が容易となっており、また、蚊誘引機の製造コストをより低減することが可能となっている。
【００８１】
また、この蚊誘引機では、各出入口１１ａ、１１ｂから電撃グリッド５までの距離が４０ｃｍとなっており、また、各出入口１１ａ、１１ｂの断面積が２４００ｃｍ2となっている。これらのため、この蚊誘引機では、蚊誘引機の大型化による製造コストの増大を抑制しつつ、蚊を好適に誘引室１１内に誘い込むことができるようになっている。
【００８２】
さらに、この蚊誘引機では、給電装置が太陽光発電パネル７とバッテリ９とを有している。このため、この蚊誘引機では、電撃グリッド５に必要な電力について、別途の費用を必要とすることなく調達することが可能となる。また、バッテリ９が太陽光発電パネル７で生じた起電力を蓄電可能となっていることから、例えば、昼間の屋外でこの蚊誘引機を使用し、夜間の屋外や屋内では、バッテリ９に蓄えられた電力を利用してこの蚊誘引機を使用するという方法も可能となっている。さらに、この蚊誘引機では、電源コネクタ２１及びケーブル２２を介して太陽光発電パネル７とバッテリ９とが接続されていることから、太陽光発電パネル７のみを屋外に設置し、蚊誘引機を屋内に設置して蚊１５の駆除を行うことも可能である。
【００８３】
（実施例２）
図８に示すように、実施例２の蚊誘引機は、実施例１の蚊誘引機における電撃グリッド５に変えて、電動ファン２３を備えており、また、回収皿１７ａ、１７ｂに変えて、図９に示すように、誘引室１１の底部の略中央、すなわち両出入口１１ａ、１１ｂ間の略中間位置に開口１１ｄが形成されている。
【００８４】
図８に示すように、電動ファン２３は、モータ２３ａを有しており、開口１１ｄ内に配置されている。また、開口１１ｄにおいて、電動ファン２３の直下となる位置には捕集袋２５が挿入されている。捕集袋２５にはベルト２５ａが取り付けられている。これらの電動ファン１１及び捕集袋２５が捕捉手段としての捕集器に相当する。なお、電動ファン２３と捕集袋２５との配置を入れ替えて、捕集袋２５の直下に電動ファン２３を配置する構成としても良い。
【００８５】
モータ２３ａはリード２７ａ、２７ｂを介して制御装置２７と電気的に接続している。この制御装置２７は、モータ２３ａの回転制御回路として機能し、モータ２３ａの回転速度や回転時間等の制御を行うことが可能になっている。また、制御装置２７はリード２７ｃ、２７ｄを介してバッテリ９と電気的に接続している。他の構成は実施例１の蚊誘引機と同様である。
【００８６】
この蚊誘引機では、誘引室１１内に蚊１５が進入した際、電動ファン２３を作動させる。この電動ファン２３の作動により、図８及び図９中の破線矢印で示すように、誘引室１１の天井方向から開口１１ｄに向かう気流が生じる。このため、この気流と接触又は近接した蚊１５は空気の吸引によって強制的に捕集袋２５内に吸い込まれることとなる。捕集袋２５内に蚊１５が吸い込まれたことを確認した後、ベルト２５ａを閉めることで捕集袋２５を閉じる。これにより、この蚊誘引機では、蚊１５を生体のまま捕捉することが可能となる。他の作用効果は実施例１の蚊誘引機と同様である。
【００８７】
したがって、この蚊誘引機によれば、より高い捕捉率で生体の蚊１５を捕捉可能である。
【００８８】
特に、この蚊誘引機では、空気の吸引によって接触又は近接した蚊を捕捉することが可能になっている。このため、空気圧による押し込みによって蚊を捕捉する従来の蚊誘引機と比較して、より好適に捕捉することが可能となっている。
【００８９】
なお、この蚊誘引機では、捕集袋２５の取り外し等を容易に行い得るように、所定の高さの設置台２８ａ、２８ｂ等に設置して蚊１５の捕捉を行うことができる。
【００９０】
（実施例３）
図１０に示すように、実施例３の蚊誘引機は、実施例１の蚊誘引機における電撃グリッド５に変えて、誘引室１１内における両出入口１１ａ、１１ｂ間の略中間位置の内壁１１ｃを含む誘引室１１の内壁１１ｃ全体に亘って、上記の害虫捕捉用の粘着剤を塗布している。この粘着剤により、図１１に示すように、誘引室１１の内壁１１ｃには粘着層２９が形成されている。この粘着層２９が形成された内壁１１ｃが捕捉手段としての捕集器に相当する。また、この蚊誘引機では、電源室１３は形成されておらず、制御装置１９、バッテリ９及び太陽光発電パネル７は設けられていない。他の構成は実施例１の蚊誘引機と同様である。
【００９１】
この蚊誘引機では、誘引室１１内に侵入し、粘着層２９に接触した蚊１５を生体のまま捕捉することが可能となる。このように、この蚊誘引機では、蚊１５を簡易に捕捉することが可能となっている。また、この蚊誘引機では、粘着層２９に粘着した後一定期間放置することで、蚊１５を死滅させて捕捉、すなわち駆除することも可能となっている。なお、この蚊誘引機では誘引室１１の内壁１１ｃがプラダン３０によって形成されているため、粘着剤が浸透し難く、長期間に亘って蚊１５を捕捉することが可能となっている。他の作用効果は実施例１の蚊誘引機と同様である。
【００９２】
したがって、この蚊誘引機によれば、より高い捕捉率で生体の蚊１５を捕捉可能である他、より高い駆除率で蚊１５を駆除可能である。
【００９３】
なお、この蚊誘引機においても、図９に示すように、必要に応じて所定の高さの設置台２８ｃ等に設置して蚊１５の捕捉を行うことができる。
【００９４】
（実施例４）
図１２に示すように、実施例４の蚊誘引機は、実施例１の蚊誘引機における各構成に加えて、ハウジング３の内側、すなわち、誘引室１１の内壁１１ｃに電撃プレート４０が設けられている。図示を省略しているが、この電撃プレート４０は、誘引室１１内で互いに対向するように、他方の内壁１１ｃにも同様に設けられている。
【００９５】
電撃プレート４０は、ポリエチレンテレフタラート製の基板４１と、基板４１の表面に導電材料が印刷されることで形成された副電撃グリッド４３とからなる。基板４１は黒色を呈している。また、その表面は光沢を有している。さらに、上記の導電材料は黒鉛を含有していることから副電撃グリッド４３も黒色を呈している。これらのため、電撃プレート４０は、全体として黒色を呈している。
【００９６】
各副電撃グリッド４３は、基板４１上で直線状に形成された第１基部４３ａ及び第２基部４３ｂと、第１基部４３ａから第１基部４３ａに対して交差するとともに、互いに平行に形成された複数本の第１導線部４３ｃと、第２基部４３ｂから第２基部４３ｂに対して交差するとともに、各第１導線部４３ｃと平行に形成されつつ各第１導線部４３ｃと互い違いをなす複数本の第２導線部４３ｄとを有している。第１基部４３ａにはリード１９ｅの一端側が接続されており、このリード１９ｅ他端側は制御装置１９における正極側と接続されている。同様に、第２基部４３ｂにはリード１９ｆの一端側が接続されており、このリード１９ｆ他端側は制御装置１９における負極側と接続されている。第１基部４３ａと第２基部４３ｂとの間には、電撃グリッド５における各導線５２ａ、５２ｂと同様、制御装置１９により１０００〜６０００Ｖの電圧が印加されている。この蚊誘引機における他の構成は実施例１の蚊誘引機と同様であり、同一の構成については同一の符号を付して構成に関する詳細な説明を省略する。
【００９７】
この蚊誘引機では、電撃グリッド５による上記の蚊１５の駆除に加えて、電撃プレート４０の副電撃グリッド４３による蚊１５の駆除も同時に行うことが可能となっている。特に、この蚊誘引機では、誘引室１１内に誘い込まれた蚊１５が電撃グリッド５に至らず、内壁１１ｃ、すなわち、電撃プレート４０に止ろうとした場合に、蚊１５が副電撃グリッド４３に近接又は接触することとなる。この際、この電撃プレート４０は、電撃グリッド５等と同様に黒色を呈していることから、電撃プレート４０に対しても蚊１５は警戒心を持つことなく近接又は接触する。また、基板４１の表面が光沢を有していることから、蚊１５がより電撃プレート４０に近接等し易くなっている。このため、この蚊１５は、副電撃グリッド４３による電撃を受けて焼殺されることとなる。
【００９８】
また、この蚊誘引機では、副電撃グリッド４３においても、電撃グリッド５と同様、電撃プレート４０に近接した蚊１５をクーロン力によって副電撃グリッド４３に引き寄せ易くなっている。また、基板４１も静電気によって正極又は負極に帯電し、基板４１のクーロン力によって蚊を副電撃グリッド４３に引き寄せ易くなっている。副電撃グリッド４３によって焼殺され、炭化した蚊１５の死骸は、電撃グリッド５の場合と同様、自然風により大気中に拡散される他、回収皿１７ａ、１７ｂに堆積することとなる。
【００９９】
したがって、この蚊誘引機は、実施例１の蚊誘引機と比較して、より好適に蚊１５を駆除することが可能になっている。つまり、この蚊誘引機は、実施例１の蚊誘引機よりも、蚊１５の駆除率が高い。
【０１００】
以上において、本発明を実施例１〜４に即して説明したが、本発明は上記実施例１〜４に制限されるものではなく、その趣旨を逸脱しない範囲で適宜変更して適用できることはいうまでもない。
【０１０１】
例えば、実施例１〜４の蚊誘引機において、二酸化炭素を詰めたボンベや化学反応によって二酸化炭素を発生させる反応装置等、種々の炭酸ガス発生手段を備えても良い。また、実施例１〜３の蚊誘引機において、蚊１５が好む３５〜５５°Ｃの熱を発生させる電熱ヒータ、懐炉等、種々の温熱発生手段を備えても良い。これらの炭酸ガス発生手段と温熱発生手段とを組み合わせて備えても良い。この場合には、より効率よく蚊１５を駆除又は捕捉することが可能となる。
【０１０２】
また、実施例３の蚊誘引機において、内壁１１ｄに粘着層２９を形成することに替えて、誘引室１１内における両出入口１１ａ、１１ｂ間の略中間位置に、粘着剤が塗布されたリボン等を垂下させて設けても良い。この場合、更に内壁１１ｄに粘着層２９を形成しても良い。これによっても蚊１５を効率よく捕捉することが可能となる。
【０１０３】
さらに、実施例１、２、４における蚊誘引機において、電撃グリッド５、電動ファン２３（モータ２３ａ）及び電撃プレート４０をそれぞれ時限式で作動又は停止させても良い。この場合、電撃グリッド５や電撃プレート４０では、一時的に各導線５２ａ、５２ｂや第１、２基部４３ａ、４３ｂに対する電圧の印加を停止することで、電撃グリッド５や副電撃グリッド４３におけるクーロン力が一時的に消失することとなる。このため、電撃グリッド５や副電撃グリッド４３には、炭化した蚊１５の死骸が付着し難くなる。一方、電動ファン２３の作動や停止を時限式で行うことで、例えば、捕集された蚊１５の数を基に、時間帯による蚊１５の分布状況を判断し易くなる。また、このように時限式で作動させることにより、電動ファン２３が無駄に作動することも防止できる。
【０１０４】
また、実施例４の蚊誘引機において、電撃グリッド５に印加される電圧と副電撃グリッド４３に印加される電圧とをそれぞれ異なる値とすることもできる。なお、電撃グリッド５や副電撃グリッド４３に印加される電圧は、蚊誘引機が設置される場所や蚊１５の種類に応じて適宜変更することができる。
【０１０５】
さらに、電撃プレート４０のみによって蚊１５を駆除する蚊誘引機を設計することも可能である。また、電撃プレート４０と電動ファン２３との組み合わせや、電撃プレート４０と粘着層２９との組み合わせによって蚊誘引機を設計することも可能である。なお、電撃プレート４０と粘着層２９とを組み合わせる場合、例えば、誘引室１１の内壁１１ｃの一方に電撃プレート４０を設け、他方の内壁１１ｃに粘着層を設けることができる。
【産業上の利用可能性】
【０１０６】
本発明は蚊の駆除装置又は捕捉装置に利用可能である。本発明の蚊誘引機は、ヒトスジシマカ（Aedes (Stegomyia) albopictus）やアカイエカ（Culex (Culex) pipiens pallens Coquillett）の他、ネッタイシマカ（Aedes (Stegomyia) aegypti）等の蚊に有効である。
【符号の説明】
【０１０７】
１１…誘引室
３ａ…一端
３ｂ…他端
１１ａ、１１ｂ…出入口
３…ハウジング
１５…蚊
５…電撃グリッド（捕捉手段）
５１ａ、５１ｂ…枠体
５２ａ、５２ｂ…導線
５３…絶縁体
７、９…給電装置（７…太陽光発電パネル、９…バッテリ）
２３、２５…捕集器（２３…電動ファン、２５…捕集袋）
１１ｃ、２９…捕集器（１１ｃ…内壁、２９…粘着層）
４０…電撃プレート
４１…基板
４３…副電撃グリッド
【図１】
2012086253.tif 000004
【図２】
2012086253.tif 000005
【図３】
2012086253.tif 000006
【図４】
2012086253.tif 000007
【図５】
2012086253.tif 000008
【図６】
2012086253.tif 000009
【図７】
2012086253.tif 000010
【図８】
2012086253.tif 000011
【図９】
2012086253.tif 000012
【図１０】
2012086253.tif 000013
【図１１】
2012086253.tif 000014
【図１２】
2012086253.tif 000015
【国際調査報告】
2012086253.tif 000016
2012086253.tif 000017
2012086253.tif 000018
2012086253.tif 000019